(57)【要約】【課題】排煙を有効に活用して磁気分解処理を行う。【解決手段】上部シャッター１２２を空けて廃棄物をホッパー１２０に投入し、下部シャッター１２４を空けて廃棄物を熱分解処理室１１０内に落下させる。開口１１２を開けて、熱風をホットエアガン４０で吹き込むと、熱分解処理室１１０内で廃棄物の熱分解が行われる。熱分解によって生じた排煙は、排気ダクト２０を通じてフィルタ部２００に送られる。排煙は、フィルタ部２００のシャワー２１０及び斜板フィルタ２２０を通過することで、温度が低下するとともにタールが除去されてブロワ２３０を通過し、更に、水槽フィルタ２４０を通過することでタールが除去され、布フィルタ２５０で水分の除去が行われる。その後、ゼオライトフィルタ２６０及び活性炭フィルタ２７０によって臭いが除去された後、吸気ダクト３０から、磁石３２によって磁場が印加されて、熱分解処理室１１０に送られる。【選択図】図１
2016144776.tif 000002
【特許請求の範囲】
【請求項１】
磁場が印加された空気による磁気分解を行って対象物を分解処理する磁気分解装置であって、
前記対象物の分解処理を行う分解処理部と、
該分解処理部と分離しており、分解処理によって生じた排煙に対してフィルタ処理を施すフィルタ部と、
前記分解処理部の排煙を前記フィルタ部に送るとともに、前記フィルタ部によるフィルタ処理後の排煙を前記分解処理部に送る配管と、
前記配管に設けられており、フィルタ処理後の排煙に磁場を印加する磁石と、
前記排煙を、前記分解処理部とフィルタ部との間で循環させるための循環手段と
を備えたことを特徴とする磁気分解装置。
【請求項２】
前記分解処理部は、ホットエアガンを利用して分解処理を開始することを特徴とする請求項１記載の磁気分解装置。
【請求項３】
前記フィルタ部は、前記循環手段の吸気側に、排煙の温度を低下させる手段を備えていることを特徴とする請求項１または２記載の磁気分解装置。
【請求項４】
前記フィルタ部は、タール除去及び消臭のフィルタ処理機能を備えたことを特徴とする請求項１〜３のいずれかの項に記載の磁気分解装置。
【請求項５】
前記分解処理部を構成する熱分解処理室の内壁に、空気吸入部が空気の流れ方向に沿って上向きの斜板である斜板煙道が形成されている請求項１〜４のいずれかの項に記載の磁気分解装置。
【請求項６】
前記分解処理部と前記フィルタ部との間に設けられる前記循環手段に、前記分解処理部からの排気の一部の必要量を分解処理部に吸気するためのバイパス手段を設けた請求項１〜５のいずれかの項に記載の磁気分解装置。
【発明の詳細な説明】
【技術分野】
【０００１】
本発明は、磁気処理された空気を利用して廃棄物などを熱分解する磁気分解装置に関する。
【背景技術】
【０００２】
廃棄物等の磁気分解装置としては、例えば特許文献１に記載された有機物分解処理装置がある。これは、椀状の分解釜内に有機物を投入して着火棒により着火するとともに、磁化空気導入管の空気導入口から磁化空気を導入して火が消えない程度で、有機物を低温度磁力燃焼させることで、燃焼分解処理を行う。そして、該燃焼分解処理により発生したタールや水蒸気を含む煙を上昇させ、タール除去部でタールと水蒸気を分離し、更に、消臭部で、前記水分とタールが除去された煙を消臭液の噴霧雰囲気中に曝して消臭し、無臭化して排気するようにしたものである。
【０００３】
特許文献２の有機物分解処理装置では、分解処理室に投入された有機物を低温度で磁力燃焼させて燃焼分解処理したときに発生したタールと水分を含む煙を上昇させ、タール除去部でほとんどタールを除去し、消臭部で散水雰囲気中に曝すことで少煙化・無臭化して、大気中に排気するようにしている。
【先行技術文献】
【特許文献】
【０００４】
【特許文献１】特開２０１０−７５８２３号公報
【特許文献２】特開２０１１−５４５７号公報
【発明の概要】
【発明が解決しようとする課題】
【０００５】
しかしながら前掲の特許文献１，２に記載された技術では、タールや臭気を除去しているものの、必ずしも十分とは言えず、結果的にタール等を含む排煙が放出されることとなる。また、タール等を除去するフィルタは、一定期間経過すれば交換や清掃を行う必要があるが、その際に装置全体の稼働を停止しなければならない。
【０００６】
本発明は、以上のような点に着目したもので、その目的は、排煙を有効に活用して磁気分解処理を行うことである。他の目的は、装置全体の稼働停止を伴うことなく、フィルタの交換や清掃を行うことである。
【課題を解決するための手段】
【０００７】
本発明の第１の構成は、磁場が印加された空気による磁気分解を行って対象物を分解処理する磁気分解装置であって、前記対象物の分解処理を行う分解処理部と、該分解処理部と分離しており、分解処理によって生じた排煙に対してフィルタ処理を施すフィルタ部と、前記分解処理部の排煙を前記フィルタ部に送るとともに、前記フィルタ部によるフィルタ処理後の排煙を前記分解処理部に送る配管と、前記配管に設けられており、フィルタ処理後の排煙に磁場を印加する磁石と、前記排煙を、前記分解処理部とフィルタ部との間で循環させるための循環手段とを備えたことを特徴とする。
【０００８】
本発明の第２の構成は、前記分解処理部が、ホットエアガンを利用して分解処理を開始することを特徴とする。
本発明の第３の構成は、前記フィルタ部が、前記循環手段の吸気側に、排煙の温度を低下させる手段を備えていることを特徴とする。
本発明の第４の構成は、前記フィルタ部が、タール除去及び消臭のフィルタ処理機能を備えたことを特徴とする。
本発明の第５の構成は、前記分解処理部を構成する熱分解処理室の内壁に、空気吸入部が空気の流れ方向に沿って上向きの斜板である斜板煙道が形成されていることを特徴とする。
本発明の第６の構成は、前記分解処理部と前記フィルタ部との間に設けられる前記循環手段に、前記分解処理部からの排気の一部の必要量を分解処理部に吸気するためのバイパス手段を設けたことを特徴とする。
【発明の効果】
【０００９】
本発明によれば、分解処理部で生じた排煙をフィルタ部に送り、フィルタ部によるタール除去や消臭処理の後、磁石による磁場を印加しつつ分解処理部に戻して循環させるようにしたので、排煙を有効に活用して磁気分解処理を行うことができる。また、フィルタ部を分解処理部と分離することとしたので、装置全体の稼働停止を伴うことなく、フィルタの交換や清掃を行うことができる。
【図面の簡単な説明】
【００１０】
【図１】本発明の実施の形態に係る磁気分解装置を示す平面図である。
【図２】図１に示した磁気分解装置のうちの熱分解処理室の横断平面図である。
【図３】図１におけるＡ１およびＡ２方向から見た側面図である。
【図４】図１におけるＡ１およびＡ２方向から見た側断面図である。
【図５】図１に示した磁気分解装置のうちの熱分解処理室の側断面図である。
【図６】図１におけるＡ１およびＡ３方向から見た展開側面図である。
【発明を実施するための形態】
【００１１】
以下、本発明の実施の形態を、図面を参照しながら具体的に説明する。
【００１２】
図１〜図６には、本実施の形態が示されている。これらの図において、磁気分解装置１０は、分解処理部１００と、フィルタ部２００によって構成されている。両者は、配管、すなわち排気ダクト２０と、吸気ダクト３０によって接続されて循環手段を形成しており、排煙が分解処理部１００とフィルタ部２００との間で循環するようになっている。
【００１３】
まず、分解処理部１００から説明すると、廃棄物が分解処理される熱分解処理室１１０の上部には、廃棄物を投入するホッパー１２０が設けられている。ホッパー１２０に投入されるものとしては、家庭ごみ、紙くず、ダンボール、廃プラスチック、木くず、野菜くず、ゴム、ビニル等など、各種のものが対象となり得る。
【００１４】
ホッパー１２０の上部には上部シャッター１２２が設けられており、下部には下部シャッター１２４が設けられている。また、地面からホッパー１２０まで廃棄物を運ぶための階段１３０と、投入用ステップ（床）１３２が設けられている。廃棄物を投入するときは、階段１３０から投入用ステップ１３２に上がり、シャッター１２４を閉じて、ホッパー１２０の上部シャッター１２２を開ける。そして、廃棄物をホッパー１２０内に投入して上部シャッター１２２を閉じ、次に下部シャッター１２４を開ける。これにより、ホッパー１２０内の廃棄物が熱分解処理室１１０内に落下する。落下後、下部シャッター１２４を再び閉じる。
【００１５】
このように、下部シャッター１２４が閉じた状態で上部シャッター１２２を開けて廃棄物をホッパー１２０に投入し、上部シャッター１２２を閉じた状態で下部シャッター１２４を空けて廃棄物を熱分解処理室１１０内に落下させることで、外気（磁気分解されていない空気）の熱分解処理室１１０内への流入を良好に防止することができる。また、ホッパー１２０を排気ダクト２０に接続し、上述した開閉動作によってホッパー１２０内に充満する排煙をフィルタ部２００に排気することができ、外部への排煙の流出を防ぐことができる。
【００１６】
なお、上部シャッター１２２及び下部シャッター１２４は、必要に応じて電動式、油圧式などとしてよいし、両者が連動して開閉するようにしてもよい。図示の例では、上部シャッター１２２は、ギヤーモータ１２２Ａ、スプロケット１２２Ｂ、ローラーチェーン１２２Ｃ、スプロケット１２２Ｄを介してボールねじ１２２Ｅを回転駆動し、回転運動を駆動ねじ１２２Ｆによりシャッター駆動棒１２２Ｇの直線運動に変換して開閉駆動される。下部シャッター１２４は、同じく、ギヤーモータ１２４Ａ、スプロケット１２４Ｂ、ローラーチェーン１２４Ｃ、スプロケット１２４Ｄを介してボールねじ１２４Ｅを回転駆動し、回転運動を駆動ねじ１２４Ｆによりシャッター駆動棒１２４Ｇの直線運動に変換して開閉駆動される。なお、下部シャッター１２４は左右一対のシャッター板となっているため、左右対象の駆動機構により駆動される。
【００１７】
次に、熱分解処理室１１０は、その側面に開口１１２が設けられており、分解処理中は閉じられている。この開口１１２は、分解処理の開始時に熱風を処理室内に送り込んだり、分解処理後の残渣を取り除いたりするために使用されるものである。熱分解処理室１１０の内壁は、主として煙道を兼ねており、強磁性体である鉄板などの材料を使用して形成されている。また、熱分解処理室１１０の内壁には、図２，図４，図５，図６に示されているように空気吸入部が上向きの斜板である斜板煙道１１４が形成されており、熱分解処理室１１０に投入された廃棄物がどの位置にあっても効率よく排煙できる煙道としている。
【００１８】
次に、フィルタ部２００について説明する。フィルタ部２００は、図１，図６に示すように、複数のフィルタ装置と、排煙を循環させるためのブロワ装置によって構成されている。上述した排気ダクト２０から導入された排煙は、シャワー２１０、斜板フィルタ２２０、ブロワ２３０、水槽フィルタ２４０、布フィルタ２５０、ゼオライトフィルタ２６０、活性炭フィルタ２７０、の順にフィルタ部２００内を通り、吸気ダクト３０に至るようになっている。ブロワ２３０によって、装置全体における排煙の循環が行われている。
【００１９】
これらのうち、シャワー２１０は、散水管２１２から排煙にシャワーを当てるようにしたものである。斜板フィルタ２２０は、複数の斜めに交互に配置された板２２２に排煙を当てるようにしたものである。これらシャワー２１０及び斜板フィルタ２２０は、排煙の温度を低下させるとともに、タールを除去し、後段のブロワ２３０の負担を軽減するためのものである。
【００２０】
次に、水槽フィルタ２４０は、排煙が水中を泡となって潜ることで、主としてタールを除去するためのものである。布フィルタ２５０は、排煙中の水分を布地によって除去するためのものである。ゼオライトフィルタ２６０は、主として消煙効果を奏し、色を除去するためのものである。活性炭フィルタ２７０は、主として排煙中の臭いを除去するためのものである。これらのフィルタ類によってタールや臭気が除去された排煙は、大気中に放出しても何ら問題はないが、本実施の形態では、排煙は、吸気ダクト３０を経て鉄パイプを通り熱分解処理室１１０に戻る。このとき、吸気ダクト３０に設けられた磁石３２による強力磁場によって排煙が磁気分解されるようになっている。磁石３２は、熱分解処理室１１０の外側に突出した鉄パイプの外側に取り付ける。
【００２１】
磁石３２としては、Ｎｄ−Ｆｅ−Ｂ磁石（ネオジム磁石）、Ｓｍ−Ｃｏ磁石（サマリウム−コバルト磁石）などの永久磁石が好適な例である。永久磁石を使用することで、他のエネルギー源を必要とすることなく強力な磁場を得ることができる。磁石３２による強力な磁場が空気に作用すると、空気中の酸素と窒素が分離するが、酸素の磁化率は窒素の１０００倍もあるため、これが廃棄物に作用して熱分解が行われる。なお、強力磁場を作るために、磁石３２としては例えば７００ｍＴ（７０００ガウス）程度、またはそれ以上の磁束密度の永久磁石を使用する。
【００２２】
次に、本実施の形態では、ホットエアガン４０を使用して処理開始を行うようにしている。これにより、火を全く使用しないで、分解処理が開始され継続される。具体的には、熱分解処理室１１０の開口１１２を開けて、ここからホットエアガン４０で熱風を吹き込むとともに、ブロワ２３０を駆動して排煙を磁気分解して循環させることで、分解処理が継続的に行わるようになっている。
【００２３】
次に、本実施例の全体動作を説明する。まず、下部シャッター１２４が閉じた状態で上部シャッター１２２を開けて廃棄物をホッパー１２０に投入し、上部シャッター１２２を閉じた状態で下部シャッター１２４を開けて廃棄物を熱分解処理室１１０内に落下させる。一方、ブロワ２３０を駆動し、分解処理部１００とフィルタ部２００との間で、排気ダクト２０及び吸気ダクト３０を通じて空気を循環させる。これにより、吸気ダクト３０に設けられた磁石３２の磁場によって空気が磁気分解され、分解後の空気が熱分解処理室１１０に送られることとなる。
【００２４】
分解処理部１００の吸排気は排気ダクト２０によって、熱分解により膨張した排煙を排気するが、吸気については強制的に送り込むことなく、バイパス配管５０によって、必要量だけが送り込まれる。このように、バイパス配管５０を設けることにより、吸気ダクト３０のガスを、熱分解処理室１１０に必要量だけ吸気し、不要量をバイパス配管５０を経由して排気ダクト２０に迂回させることができ、加圧状態になり易い熱分解処理室の圧力を軽減させ、熱源を良好な状態に安定させることにより、最適な処理環境を継続的に維持するというメリットが得られる。
【００２５】
この状態で、熱分解処理室１１０の開口１１２を開けて、例えば５００℃前後の熱風をホットエアガン４０で吹き込むようにする。すると、熱分解処理室１１０内で廃棄物の熱分解が行われる。ホットエアガン４０による送風は３分程度行えばよく、その後は熱分解が持続するようになる。熱分解処理室１１０内の温度は、概ね４００〜５００℃であり、内部での燃焼は発生していない。
【００２６】
熱分解によって生じた排煙は、排気ダクト２０を通じてフィルタ部２００に送られる。排煙は、フィルタ部２００のシャワー２１０及び斜板フィルタ２２０を通過することで、温度が低下するとともに、タールが除去されて、ブロワ２３０を通過する。排煙は、更に水槽フィルタ２４０を通過することで更にタールが除去され、次に布フィルタ２５０で水分の除去が行われる。その後、排煙は、ゼオライトフィルタ２６０及び活性炭フィルタ２７０によって臭いが除去された後、吸気ダクト３０から熱分解処理室１１０に送られる。このとき、磁石３２によって排煙の磁場印加が行われ、熱分解処理に利用される。
シャワー２１０と水槽フィルタ２４０の水槽を別々にして、シャワー２１０の水槽に１％〜５％の範囲で界面活性剤を混ぜる。また、水槽フィルタ２４０の水槽に水酸化ナトリウムを１％〜５％の範囲で混入させ、排煙中の二酸化炭素を吸着させる。これにより、吸気ダクト３０を通過して熱分解処理室１１０に戻るガスを一層クリーンなものにする。
【００２７】
以上のように、本実施の形態によれば、次のような効果がある。
ａ．分解処理部１００で生じた排煙を、排気ダクト２０からフィルタ部２００に送り、フィルタ部２００によるタール除去や消臭処理の後、吸気ダクト３０に設けた磁石３２による磁場を印加しつつ分解処理部１００に戻して循環させるようにしたので、排煙を有効に活用して磁気分解処理を行うことができる。
ｂ．フィルタ部２００を分解処理部１００と分離することとしたので、フィルタ部２００を複数台用意して、排気ダクト２０と吸気ダクト３０を接続切り替えを行うようにすれば、使用済みのフィルタ部２００のメンテナンスを行いつつ、新しいフィルタ部２００による分解処理を行うことができ、装置全体の稼働停止を伴うことなく、分解処理を継続することができる。
ｃ．ホットエアガンを用いて熱分解の開始を行うこととしたので、火を全く使用せず、安全に廃棄物を処理することができる。
ｄ．排煙を循環させるブロワの前段に、排煙の温度を下げるフィルタ、タールを除去するフィルタを設けることとしたので、ブロワの負担が低減される。
【００２８】
なお、本発明は、上述した実施の形態に限定されるものではなく、本発明の要旨を逸脱しない範囲内において種々変更を加えることができる。例えば、以下のものも含まれる。
（１）前記実施の形態で示した形状や寸法は一例であり、同様の作用・効果を奏するように設計変更可能である。
（２）前記実施の形態では、シャワー２１０及び斜板フィルタ２２０をブロワ２３０の前段（吸気側）に設け、水槽フィルタ２４０、布フィルタ２５０、ゼオライトフィルタ２６０、活性炭フィルタ２７０をブロワ２３０の後段（排気側）に設けたが、どの位置にどのフィルタを設けるかは、必要に応じて適宜設定してよい。
【産業上の利用可能性】
【００２９】
本発明によれば、フィルタ部を分解処理部から分離するとともに、それらの間で、磁場を印加して排煙を循環させることとしたので、各種の廃棄物の分解処理に好適である。
【符号の説明】
【００３０】
１０  磁気分解装置
２０  排気ダクト
３０  吸気ダクト
３２  磁石
４０  ホットエアガン
５０  バイパス配管
１００  分解処理部
１１０  熱分解処理室
１１２  開口
１１４  斜板煙道
１２０  ホッパー
１２２  上部シャッター
１２２Ａ  ギヤーモータ
１２２Ｂ  スプロケット
１２２Ｃ  ローラーチェーン
１２２Ｄ  スプロケット
１２２Ｅ  ボールねじ
１２２Ｆ  駆動ねじ
１２２Ｇ  シャッター駆動棒
１２４  下部シャッター
１２４Ａ  ギヤーモータ
１２４Ｂ  スプロケット
１２４Ｃ  ローラーチェーン
１２４Ｄ  スプロケット
１２４Ｅ  ボールねじ
１２４Ｆ  駆動ねじ
１２４Ｇ  シャッター駆動棒
１３０  階段
１３２  投入用ステップ
２００  フィルタ部
２１０  シャワー
２１２  散水管
２２０  斜板フィルタ
２３０  ブロワ
２４０  水槽フィルタ
２５０  布フィルタ
２６０  ゼオライトフィルタ
２７０  活性炭フィルタ
【図１】
2016144776.tif 000003
【図２】
2016144776.tif 000004
【図３】
2016144776.tif 000005
【図４】
2016144776.tif 000006
【図５】
2016144776.tif 000007
【図６】
2016144776.tif 000008